(57)【特許請求の範囲】
【請求項１】
アングル材である支柱の下部に脚部として短鉄筋を上下にかつ直角に交差させて溶接し、該支柱の上部に短鉄筋をＶ字に組み合わせて角状に溶接し、上下にかつ直角に交差させて溶接した短鉄筋は、これを下鉄筋の主筋と配力筋に沿わせて結束させ、また、Ｖ字に組み合わせた短鉄筋は、その間で、上鉄筋を支承することを特徴とする鉄筋架台。
【発明の詳細な説明】
【技術分野】
【０００１】
本発明は、下鉄筋上に設置できる鉄筋架台に関するものである。
【背景技術】
【０００２】
鉄筋コンクリート構造物の構築において、上下方向に鉄筋の間隔が大きく離れている場合、上鉄筋を所定の位置に固定するために、鋼材を用いて上鉄筋を支える架台を組む必要がある。
【０００３】
概ね上下方向の間隔が１．５ｍ以上あるときは、図５に示すようにアングル材（Ｌ−５０×５０或いはＬ−７０×７０）の架台１が一般的に用いられている。
【０００４】
アングル材の架台１は、鉛直方向のアングル材２の上端に水平方向のアングル材３を溶接し、その上に段どり筋４を載せて上鉄筋５を所定の位置に固定するものである。
【０００５】
下鉄筋７は、打継面８の均しコンクリート面上に配置したスペーサブロック６に段どり筋４を置いて、その上に設置される。
【０００６】
前記アングル材の架台１の下端は、先に打設したコンクリート（例えば、均しコンクリートや底版コンクリート）上に設置される。
【０００７】
このようなアングル材の架台の他に、下記特許文献１〜３のような鉄筋架台が提案されている。
【特許文献１】特開平１０−６８２２７号公報
【特許文献２】特開２００２−１０６１７３号公報
【特許文献３】特開２００９−１６７７６０号公報
【０００８】
特許文献１は、コンクリートブロックと、前記コンクリートブロックの一面より一方の面を露出させた状態で埋め込まれた鋼板とより構成する、鉄筋組立用基礎ブロックで、前記鋼板の露出面の裏面には、前記コンクリートブロックの内部に埋設されるアンカー部材を接合して構成し、前記鋼板の露出面に鋼支柱を接合して立設し、所定位置に配置した複数の前記鉄筋組立用基礎ブロックの前記鋼支柱間に水平部材を掛け渡したものである。
【０００９】
特許文献２は、Ｌ字型に折り曲げた支持筋の上端に受け筋を固定した鉄筋受け架台である。
【００１０】
特許文献３は、鉄筋コンクリート構造物の梁を形成するために鉄筋を組立てるに際して梁上端主筋を所定位置に配置するため、梁の鉄筋組立体の両側部及び中子部の少なくとも一方にそれぞれ並設されて使用される主筋受け架台であって、下端部が梁下端主筋の上に載置可能に形成され、あばら筋の底部から立ち上げられた箇所に固定され、鉄筋組立体の側部とほぼ同じ面又は内側に所定間隔で延設される複数の縦支持鉄筋と、当該複数の縦支持鉄筋を連結するように縦支持鉄筋の上端部のほぼ直交方向に固定され、あばら筋の配置される面よりも内側に位置するように設けられた横受け鉄筋と、当該複数の縦支持鉄筋を連結するように縦支持鉄筋の中間位置に設けられ、あばら筋の配置される面よりも内側に位置するように設けられた横連結鉄筋とを備えることを特徴とする梁上端主筋の受け架台である。
【発明の開示】
【発明が解決しようとする課題】
【００１１】
前記図５に示すアングル材の架台１によるものでは、先に打設したコンクリート上に直接アングル材を立てる構造のため、コンクリート打設後、打継目において外部から水が浸入してきた場合、アングル材と水が接することになり、アングル材が腐食して構造物に損傷を与える危険性がある。
【００１２】
また、水平方向のアングル材３は、図６のように設置されるため、コンクリート打設時、角部にブリーディングの滞水１０が生じる可能性がある。
【００１３】
図５において、点線矢印は水みち９を示すが、コンクリート硬化後に、打継目において外部から水が浸入し、鉛直方向のアングル材２を伝わった際、この個所が水みち９となり水平方向のアングル材３と接する上鉄筋５まで腐食する可能性があり、構造物全体に重大な損傷を与える危険がある。
【００１４】
一方、前記特許文献１では、当鉄筋組立用基礎ブロックの製作には、鋼支柱を埋設して型枠を組んでコンクリートを打ち込む必要があり、多大な手間とコストがかかる。さらに、当鉄筋組立用基礎ブロックは、コンクリートブロックの重量が大きく、取り回しが困難である。
【００１５】
また、当鉄筋組立用基礎ブロックは、下鉄筋の配筋間隔が密である場合、下鉄筋より下にブロックが入らず、下鉄筋を組む前に設置する必要があり、下鉄筋構築の際に邪魔となる。
【００１６】
前記特許文献２では、Ｌ字型に組んだ支持鉄筋の上端に受け鉄筋を固定した場合、その後の鉄筋組立作業の邪魔になる。
【００１７】
Ｌ字型の構造であるため、安定的に固定するためには、下端筋との重ね合わせを長く確保する必要があり、コスト増しとなる。
【００１８】
前記特許文献３では、前記特許文献２と同様、下端のＬ字部分との重ね合わせを十分に確保しないと安定的に固定することはできない。
【００１９】
さらに、前記特許文献２や特許文献３のようなＬ字型の構造であると、下鉄筋７上に設置するには、図７に示すように、横流し筋１１がないと自立せずに倒れてしまう。
【００２０】
本発明の目的は前記不都合を解消し、安定して下鉄筋上に設置できるとともに腐食の原因となる水みちを発生させない構造であり、構造が簡易で、手間とコストをかけずに簡単に作製でき、軽量で取り回しが容易であり、また、鉄筋構築の際に邪魔になることもない鉄筋架台を提供することにある。
【課題を解決するための手段】
【００２１】
本発明は前記目的を達成するため、上下にかつ直角に交差させて溶接した短鉄筋は、これを下鉄筋の主筋と配力筋に沿わせて結束させ、また、Ｖ字に組み合わせた短鉄筋は、その間で、上鉄筋を支承することを要旨とするものである。
【００２２】
請求項１記載の本発明によれば、アングル材と腐食の原因となる水との接点を除去できるもので、まず、沿直方向のアングル材を、打継面に立てず、下鉄筋上で固定することで、水との接点を除去することが可能となる。
【００２３】
また、鉄筋架台として水平方向のアングル材を用いないので、水平方向のアングル材の角部に生じるブリーディングの滞水個所がコンクリート硬化後に水みちとなることはない。
【００２４】
鉄筋の切断、アングル材への溶接を行うだけで作製できるため、作製にかかる手間とコストは小さくてすむ。また、単純な構造のため、現場での手直しが容易である。素材が鉄筋とアングル材のみであり、コンクリート等を用いることもなく、軽量で取り回しが容易である。
【００２５】
下鉄筋上に設置できるため、下鉄筋構築の際に邪魔にならない。
【００２６】
また、下鉄筋は主鉄筋と配力筋が上下に交差して結束されており、その段差によってアングル材を固定することが困難であるが、アングル材の下端に上下に交差させた短鉄筋を溶接することで、下鉄筋とうまく結束することができるようになる。
【００２７】
受筋を横にながす必要がなく、沿直方向に自立するため、作業の邪魔にならない。主筋と配力筋をうまく利用して固定できるため、余分な材料費は必要ない。
【００２８】
さらに、沿直方向のアングル材の上端に、Ｖ字の短鉄筋を溶接し、そこで上鉄筋を支える構造とすることで、ブリーディングの滞水個所に生じる水みちを原因とするアングル材と上鉄筋の腐食の問題を解決することができる。
【発明の効果】
【００２９】
以上述べたように本発明の鉄筋架台は、安定して下鉄筋上に設置できるとともに腐食の原因となる水みちを発生させない構造であり、構造が簡易で、手間とコストをかけずに簡単に作製でき、軽量で取り回しが容易であり、また、鉄筋構築の際に邪魔になることもないものである。
【発明を実施するための最良の形態】
【００３０】
以下、図面について本発明の実施の形態を詳細に説明する。図１は本発明の鉄筋架台の１実施形態を示す斜視図、図２は同上上鉄筋を支承した状態の斜視図で、アングル材である支柱１２の下部に、脚部として短鉄筋１３ａと１３ｂを上下にかつ直角に交差させて溶接し、該支柱１２の上部に短鉄筋１４ａと１４ｂをＶ字に組み合わせて角状に溶接した。
【００３１】
この場合、短鉄筋１３ａと１３ｂはそれぞれアングル材を構成する片に沿って溶接するものであり、また、短鉄筋１４ａと１４ｂはアングル材を構成する片に沿ってその角部から外に向けて突設するように溶接する。
【００３２】
前記支柱１２を構成するアングル材は、上鉄筋を所定の位置に固定するために、設計値に従って下鉄筋と上鉄筋の間隔と同じ寸法で正確に切り出したものである。
【００３３】
アングル材の仕様は、上鉄筋の自重により決定する。
【００３４】
また、アングル材の下端に溶接する短鉄筋１３ａと１３ｂは、後述の下鉄筋１５と同じ径のものを用いることが望ましい。さらに、短鉄筋１３ａと１３ｂの長さについては、下鉄筋１５と結束した際にアングル材を十分固定できる長さとし、アングル材の長さを考慮して決定するのがよい。
【００３５】
アングル材の上端に溶接する短鉄筋１４ａと１４ｂの長さは、上鉄筋１６の配筋状態を考慮して決定する。
【００３６】
次に、使用法について説明する。本発明の鉄筋架台の設置間隔は、上鉄筋１６の配筋状態および自重を考慮して決定する。
【００３７】
図３、図４に示すように支柱１２を構成するアングル材を下鉄筋１５上に固定するが、下鉄筋１５は主鉄筋１５ａと配力筋１５ｂが上下に直交するように交差して結束されており、短鉄筋１３ａと１３ｂのいずれか一方を主鉄筋１５ａか配力筋１５ｂに沿わせ、他方を直交させて、結束線１７で結束する。
【００３８】
このように短鉄筋１３ａと１３ｂのいずれか一方を主鉄筋１５ａか配力筋１５ｂに沿わせ、他方を直交させて、結束線１７ですればよいが、短鉄筋１３ａと１３ｂの双方を結束線１７で結束するのに、これら短鉄筋１３ａと１３ｂをそれぞれ主鉄筋１５ａと配力筋１５ｂに沿わせて固定することも可能である。
【００３９】
下鉄筋１５は主鉄筋１５ａと配力筋１５ｂの段差によってそのままではアングル材を固定することが困難であるが、このようにアングル材の下端に上下に交差させた短鉄筋１３ａと１３ｂを溶接することで、下鉄筋とうまく結束することができるようになる。
【００４０】
このように支柱１２を下鉄筋１５に立設したならば、支柱１２の上部のＶ字に組み合わせた短鉄筋１４ａと１４ｂ間で、上鉄筋１６を支承する。
【００４１】
上鉄筋１６は支柱１２で支承しながら組むことができる。
【図面の簡単な説明】
【００４２】
【図１】本発明の鉄筋架台の１実施形態を示す斜視図である。
【図２】本発明の鉄筋架台の１実施形態を示す上鉄筋を支承した状態の斜視図である。
【図３】本発明の鉄筋架台の下部を示す斜視図である。
【図４】本発明の鉄筋架台の下部を示す側面図である。
【図５】従来例を示す側面図である。
【図６】従来例を示す要部の側面図である。
【図７】他の従来例を示す斜視図である。
【符号の説明】
【００４３】
１…アングル材の架台                  ２…鉛直方向のアングル材
３…水平方向のアングル材              ４…段どり筋
５…上鉄筋                            ６…スペーサブロック
７…下鉄筋                            ８…打継面
９…水みち                            １０…ブリーディングの滞水
１１…横流し筋                        １２…支柱
１３ａ、１３ｂ…短鉄筋                １４ａ、１４ｂ…短鉄筋
１５…下鉄筋                          １５ａ…主鉄筋
１５ｂ…配力筋                        １６…上鉄筋
１７…結束線
【図１】
0005603147.tif 000002
【図２】
0005603147.tif 000003
【図３】
0005603147.tif 000004
【図４】
0005603147.tif 000005
【図５】
0005603147.tif 000006
【図６】
0005603147.tif 000007
【図７】
0005603147.tif 000008